(57)【要約】【課題】個装商品を収容して外袋内に内包される包装用容器であって、外袋から取り出して個装商品をバラ売りする際に、収容される個装商品の視認性を高めるとともに、個装商品の取り出し易さを高めることを可能とする。【解決手段】平面視で略長方形状の立方体状に形成された収容領域Ａ１を有し、前記収容領域Ａ１と外部とを連通して個装商品Ｓを視認可能とする窓部１３を備え、窓部１３は、第一側周壁７の横方向凹設端縁７ｃと、第二側周壁１１の横方向凹設端縁１１ｃとの間にわたって連続して架け渡される横方向フランジ部１３ａと、横方向フランジ部１３ａの左右端部１３ａ´から連続し、第一側周壁７の縦方向凹設端縁７ｄと、第二側周壁１１の縦方向凹設端縁１１ｄとの間にわたって連続して架け渡される左右の縦方向フランジ部１３ｂとを有している。【選択図】図５
2020066456.tif 000002
【特許請求の範囲】
【請求項１】
底部と、前記底部の周辺から立ち上がってなる第一側周壁とを備えると共に上面を開放して収容領域を形成し、前記収容領域内に複数個の個装商品を並べた状態で外袋内に収容される包装用容器であって、
前記第一側周壁の上端から外方に向けて連続して形成される上端周面と、
前記上端周面から前記第一側周壁の外方を覆うように連続して形成される第二側周壁と、を含み、
前記第一側周壁と前記第二側周壁との相対向する所定領域には、前記上端周面から下方に向けて連続して凹設され、前記収容領域と外部とを連通して個装商品を視認可能とする窓部を備え、
前記窓部は、前記第一側周壁の横方向凹設端縁と、前記第二側周壁の横方向凹設端縁との間にわたって連続して架け渡される横方向フランジ部と、
前記横方向フランジ部の左右端部から連続し、前記第一側周壁の縦方向凹設端縁と、前記第二側周壁の縦方向凹設端縁との間にわたって連続して架け渡される左右の縦方向フランジ部と、を有していることを特徴とする包装用容器。
【請求項２】
前記底部が平面視で略長方形状の面部を有し、
前記第一側周壁のそれぞれの面部は、前記底部の相対向する２つの長辺から上方に向けて立ち上がる長尺状の２つの面部と、相対向する２つの短辺から上方に向けて立ち上がる短尺状の２つの面部と、を有し、
前記収容領域が平面視で略長方形状の立方体状に形成されてなり、
前記第二側周壁は、前記第一側周壁のそれぞれの長尺状の面部と相対向して前記上端周面から下方に向けて連続して形成される長尺状の２つの面部と、前記第一側周壁のそれぞれの短尺状の面部と相対向して上端周面から下方に向けて連続して形成される短尺状の２つの面部と、を有し、
前記窓部は、容器長手方向のいずれか一方に位置して相対向する前記第一側周壁の短尺状の面部と第二側周壁の短尺状の面部との間にわたって凹設されていることを特徴とする請求項１に記載の包装用容器。
【請求項３】
前記第一側周壁のそれぞれの面部は、前記底部の四辺から上方に向けてそれぞれ末広がり状に形成されており、
前記第二側周壁のそれぞれの面部は、前記上端周面から斜め下方に向けてそれぞれ裾広がり状に形成されていることを特徴とする請求項２に記載の包装用容器。
【請求項４】
前記縦方向フランジ部は、
前記上端周面の幅をＷ１とし、前記横方向フランジ部の左右端部の幅をＷ２としたとき、
Ｗ１＜Ｗ２、との関係を有する上方に行くに従って先窄まり状の略三角形状の面部に形成されていることを特徴とする請求項３に記載の包装用容器。
【発明の詳細な説明】
【技術分野】
【０００１】
本発明は、複数個の個装商品を内包した状態で、外袋内に収容される包装用容器に関する。
【背景技術】
【０００２】
チョコレート菓子や焼き菓子などの食品用の包装用容器としては、ポリプロピレン樹脂（PP:Polypropylene）等の合成樹脂からなる上面開放の深皿トレー等が知られており、例えば、この包装用容器（深皿トレー）内に、個装された複数個の菓子（個装商品又は個包装商品という。）を並べ、包装用容器（深皿トレー）ごと、外袋内に収められる。このような包装用容器は、個装商品を外袋内に整列して収容する役割もあるが、搬送時などにおける個装商品の型崩れなどを防止する役割もある。例えば、そのような包装用容器（トレー）の一例として特許文献１に開示されている。
【０００３】
コンビニエンスストアーやスーパーマーケットなどでは、それぞれの食品メーカー（例えば菓子メーカ）ごとにコーナーを作ってそれぞれのメーカーの商品（例えば菓子）を並べて販売していることがある。このようなメーカーごとのコーナーは、商品陳列スペースが限られている。
したがって、並べられるそれぞれの商品アイテムの数も限られてくるため、消費者に商品アピールをし易いように見せる売り方が種々なされている。
例えば、上述のように複数個の個装商品が外袋内に包装用容器（深皿トレー）ごと内装されている商品は、一般的には、外袋状態のまま開封せずにメーカーごとのコーナーに、複数個入り商品として並べて販売されるが、外袋から包装用容器（深皿トレー）ごと取り出して個装状態で商品陳列棚（什器）に並べてバラ売りする場合もある。このように個装状態の商品をバラ売りすることにより、商品内容をダイレクトに消費者にアピールできるからである。また、バラ売りは、少しだけ食べたいという時のニーズにも応えることができ、また、バラ売りすることにより子供達であっても小遣いで購入することができるといった利点がある。
【０００４】
このように包装用容器は、個装商品を外袋から出してバラ売りするときに、個装商品を並べるトレーとしての役割をも果たしている。
しかし、バラ売りする場合、袋内から包装用容器（深皿トレー）を単に取り出して商品陳列棚などに並べただけでは包装用容器（深皿トレー）内の個装商品は見えにくい。すなわち、包装用容器（深皿トレー）の四方の側壁（前後左右の壁）が邪魔になり消費者の視界を遮っていた。特に不透明や半透明の包装用容器（深皿トレー）にあってはこの課題が大きかった。
また、このように個装商品を収容した包装用容器が、高い位置の棚（メーカー毎のコーナー）に置かれていたりすると、特に、背丈の低い年少者等にあっては、包装用容器（深皿トレー）内の個装商品を識別し難いものであった。また、これら側壁が邪魔になって個装商品が取り出し難いという場合もあった。
さらに、包装用容器における材料軽減・材料費削減などのニーズもあり、また、プラスチックによる環境汚染・環境破壊が叫ばれている今日、ごみ量を減らして環境保全に寄与せしめることも課題の一つである。
【先行技術文献】
【特許文献】
【０００５】
【特許文献１】実開昭５９−１８３８０９号公報
【発明の概要】
【発明が解決しようとする課題】
【０００６】
本発明は、この問題を解決するためになされており、その目的は、個装商品を収容して外袋内に内包される包装用容器であって、外袋から取り出して個装商品をバラ売りする際に、収容される個装商品の視認性を高めるとともに、個装商品の取り出し易さを高めることを可能とする包装用容器を提供することにある。また、包装用容器の材料軽減及び材料費削減を図るとともに、環境保全に寄与せしめることのできる包装用容器を提供することにある。
【課題を解決するための手段】
【０００７】
このような目的を達成するために、第１の本発明は、底部と、前記底部の周辺から立ち上がってなる第一側周壁とを備えると共に上面を開放して収容領域を形成し、前記収容領域内に複数個の個装商品を並べた状態で外袋内に収容される包装用容器であって、
前記第一側周壁の上端から外方に向けて連続して形成される上端周面と、
前記上端周面から前記第一側周壁の外方を覆うように連続して形成される第二側周壁（スカート部）と、を含み、
前記第一側周壁と前記第二側周壁との相対向する所定領域には、前記上端周面から下方に向けて連続して凹設され、前記収容領域と外部とを連通して個装商品を視認可能とする窓部を備え、
前記窓部は、前記第一側周壁の横方向凹設端縁と、前記第二側周壁の横方向凹設端縁との間にわたって連続して架け渡される横方向フランジ部と、
前記横方向フランジ部の左右端部から連続し、前記第一側周壁の縦方向凹設端縁と、前記第二側周壁の縦方向凹設端縁との間にわたって連続して架け渡される左右の縦方向フランジ部と、を有していることを特徴とする包装用容器としたことである。
【０００８】
第２の本発明は、第１の本発明において、前記底部が平面視で略長方形状の面部を有し、
前記第一側周壁のそれぞれの面部は、前記底部の相対向する２つの長辺から上方に向けて立ち上がる長尺状の２つの面部と、相対向する２つの短辺から上方に向けて立ち上がる短尺状の２つの面部と、を有し、
前記収容領域が平面視で略長方形状の立方体状に形成されてなり、
前記第二側周壁は、前記第一側周壁のそれぞれの長尺状の面部と相対向して前記上端周面から下方に向けて連続して形成される長尺状の２つの面部と、前記第一側周壁のそれぞれの短尺状の面部と相対向して上端周面から下方に向けて連続して形成される短尺状の２つの面部と、を有し、
前記窓部は、容器長手方向のいずれか一方に位置して相対向する前記第一側周壁の短尺状の面部と第二側周壁の短尺状の面部との間にわたって凹設されていることを特徴とする包装用容器としたことである。
【０００９】
第３の本発明は、第２の本発明において、前記第一側周壁のそれぞれの面部は、前記底部の四辺から上方に向けてそれぞれ末広がり状に形成されており、
前記第二側周壁のそれぞれの面部は、前記上端周面から斜め下方に向けてそれぞれ裾広がり状に形成されていることを特徴とする包装用容器としたことである。
【００１０】
第４の本発明は、第３の本発明において、前記縦方向フランジ部は、
前記上端周面の幅をＷ１とし、前記横方向フランジ部の左右端部の幅をＷ２としたとき、
Ｗ１＜Ｗ２、との関係を有する上方に行くに従って先窄まり状の略三角形状の面部に形成されていることを特徴とする包装用容器としたことである。
【発明の効果】
【００１１】
本発明によれば、個装商品を収容して外袋内に内包される包装用容器であって、外袋から取り出して個装商品をバラ売りする際に、収容される個装商品の視認性を高めるとともに、個装商品の取り出し易さを高めることができた。
また、包装用容器の材料軽減及び材料費削減を図るとともに、環境保全に寄与せしめることのできる包装用容器を提供することもできた。
【図面の簡単な説明】
【００１２】
【図１】本発明包装用容器の一実施形態で、個装商品を収容するとともに、外袋内に内包されている状態を仮想線にて示す概略全体斜視図である。
【図２】個装商品を収容している状態の概略全体斜視図である。
【図３】個装商品を収容している状態で、一部省略して示す概略平面図である。
【図４】個装商品を収容している状態の概略縦断正面図である。
【図５】本実施形態の包装用容器の概略全体斜視図である。
【図６】本実施形態の包装用容器の概略右側面図である。
【図７】本実施形態の包装用容器の概略左側面図である。
【図８】本実施形態の包装用容器の概略正面図である。
【図９】図６のＡ−Ａ線断面図である。
【図１０】本実施形態の包装用容器の概略平面図である。
【図１１】本実施形態の包装用容器の使用状態を示す参考図である。
【図１２】第二実施形態の包装用容器の概略全体斜視図である。
【図１３】第二実施形態の包装用容器の概略平面図である。
【図１４】第三実施形態の包装用容器の概略全体斜視図である。
【図１５】第三実施形態の概略右側面図である。
【図１６】図１５のＡ−Ａ線断面図である。
【図１７】第三実施形の包装用容器に個装商品を収容している状態の概略縦断正面図である。
【発明を実施するための形態】
【００１３】
以下、本発明の一実施形態に係る包装用容器について、添付図面を参照しつつ説明する。
なお、本実施形態は、本発明の一実施形態にすぎず、何等これに限定解釈されるものではなく、本発明の範囲内で設計変更可能である。
【００１４】
「第一実施形態」
図１乃至図１１は本発明包装用容器の第一実施形態を示す。
本実施形態の包装用容器３は、容器の長手方向Ｌにわたり、個装された菓子（個装商品）Ｓを複数個並べた状態で収容し、その収容状態のまま外袋１内に収容されている。図１中、外袋１を仮想線にて示す。
本実施形態では、容器の長手方向にわたって単列に個装商品Ｓを並べて収容される実施の一形態について例示するが、複列に個装商品を並べて収容される形態であってもよく本発明の範囲内で設計変更可能である。
【００１５】
本実施形態の包装用容器３は、例えばポリスチレン樹脂（PS：Poly Styrene）やポリプロピレン樹脂（PP:Polypropylene）などからなり、平面視で略長方形状の面部を有する底部５と、底部５の周辺（外周縁）から立ち上がってなる第一側周壁７とを備えると共に上部を開放して収容領域Ａ１を形成している。なお、包装用容器３の材料は本発明の範囲内で任意に選択可能であって特に限定解釈されない。
【００１６】
第一側周壁７のそれぞれの面部は、底部５の相対向する２つの長辺５ａ，５ａから上方に向けて立ち上がる長尺矩形状の２つの面部７ａ，７ａと、相対向する２つの短辺５ｂ，５ｂから上方に向けて立ち上がる短尺矩形状の２つの面部７ｂ，７ｂと、を有している。
従って、本実施形態の収容領域Ａ１は、平面視で略長方形状の立方体状に形成されている。
【００１７】
また、本実施形態では、第一側周壁７を構成するそれぞれの面部７ａ，７ａ，７ｂ，７ｂは、底部５の四辺５ａ，５ａ，５ｂ，５ｂから斜め上方に向けてそれぞれ末広がり状に形成されている。本実施形態では約７度の角度をもって形成されている。これにより、底部５に比して収容領域上部の開放領域が大きく開口されている（図３及び図１０参照。）。
【００１８】
第一側周壁７の上端から外方に向けて連続して上端周面９が形成されている。
上端周面９は、第一側周壁７を構成するそれぞれの面部７ａ，７ａの上端とそれぞれの面部７ｂ，７ｂの上端から、それぞれ同一面積で水平方向に連続して形成される平坦状の面部９ａ，９ａと９ｂ，９ｂとを有しており、それぞれの面部９ａ，９ａ，９ｂ，９ｂが周方向に連続して形成されている。
【００１９】
第一側周壁７の隣り合う面部７ａと面部７ｂとをつなぐ角部７ｃ上端に形成され、上端周面９の隣り合う面部９ａ，９ｂとをつなぐ面部９ｃは、面部７ａから連続する面部９ａや面部７ｂから連続する面部９ｂと比して肉厚に形成されている。このような構成を採用することにより、包装用容器３における四隅部分の強度が向上し、収容領域Ａ１に収容される個装商品の保護が図れる。
【００２０】
第一側周壁７の外方を覆うように上端周面９から連続して第二側周壁（スカート部）１１が形成されている。
【００２１】
第二側周壁１１は、第一側周壁７のそれぞれの長尺状の面部７ａ，７ａと相対向して上端周面９の面部９ａ，９ａから下方に向けて連続して形成される長尺矩形状の２つの面部１１ａ，１１ａと、第一側周壁７のそれぞれの短尺状の面部７ｂ，７ｂと相対向して上端周面９の面部９ｂ，９ｂから下方に向けて連続して形成される短尺矩形状の２つの面部１１ｂ，１１ｂと、を有している。
【００２２】
第二側周壁１１は、本実施形態において、高さ方向Ｈで第一側周壁７よりも短く形成されている。すなわち、本実施形態では、第一側周壁７の約上半分の領域を覆うように位置している。なお、第二側周壁１１は、第一側周壁７と同一長さに形成されているものであっても本発明の範囲内である。
また、本実施形態では、第二側周壁１１のそれぞれの面部１１ａ，１１ａ，１１ｂ，１１ｂは、上端周面９を構成するそれぞれの面部９ａ，９ａ，９ｂ，９ｂから斜め下方に向けてそれぞれ裾広がり状に形成されている。本実施形態では約５度の角度をもって形成されている。
【００２３】
第一側周壁７と第二側周壁１１との相対向する所定領域には、上端周面９から下方に向けて連続して凹設され、収容領域Ａ１と外部とを連通して個装商品Ｓを視認可能とする窓部（個装商品取出し口）１３を備えている。
本実施形態では、窓部１３は、包装用容器３の長手方向Ｌのいずれか一方に位置して相対向する第一側周壁７の面部７ｂと第二側周壁１１の面部１１ｂとの間にわたって切り欠くようにして凹設されている。
【００２４】
窓部１３は、第一側周壁７の横方向凹設端縁７ｃと、第二側周壁１１の横方向凹設端縁１１ｃとの間にわたって連続して架け渡される横方向フランジ部１３ａと、横方向フランジ部１３ａの左右端部１３ａ´，１３ａ´から連続し、第一側周壁７の縦方向凹設端縁７ｄと、第二側周壁１１の縦方向凹設端縁１１ｄとの間にわたって連続して架け渡される左右の縦方向フランジ部１３ｂ，１３ｂと、で構成されている。
【００２５】
縦方向フランジ部１３ｂは、上端周面９の幅をＷ１とし、横方向フランジ部１３ａの左右端部１３ａ´，１３ａ´の幅をＷ２としたとき、Ｗ１＜Ｗ２、との関係を有するように形成されている。
すなわち、本実施形態の縦方向フランジ部１３ｂは、上述した通り、第一側周壁７を斜め上方に向けてそれぞれ末広がり状に形成するとともに、第二側周壁１１を斜め下方に向けてそれぞれ裾広がり状に形成したことにより、上方に行くに従って先窄まり状の略三角形状の面部に形成されている（図１乃至図５及び図９乃至図１０参照。）。
また、本実施形態では、縦方向フランジ部１３ｂは、横方向フランジ部１３ａの左右端部１３ａ´から斜め上方に向けて約１０度の角度をもつて末広がり状に形成されている（図６参照。）。
【００２６】
本実施形態の包装用容器３によれば、窓部（個装商品取出し口）１３を設けたことにより、容器内に並んで収容されている個装商品Ｓが視認し易くなるとともに、取り出しやすさも向上する。
従って、図１１に示すように、仮に、商品陳列棚が子供の目線高さ以上の位置にあったとしても、この窓部（個装商品取出し口）１３により、包装用容器３内に収容されている個装商品Ｓが容易に視認可能であるため、特に子供目線における商品選択が容易になる。
【００２７】
また、この窓部（個装商品取出し口）１３を設けたことにより、窓部を設けていない従来品と比しても、包装用容器全体における材料が少なくて済み、かつ材料費も削減されるなど、生産者ニーズにも対応し得る。
さらに、この窓部（個装商品取出し口）１３を設けたことにより、包装容器全体としてのプラスチック量が軽減されるため、全体のごみ量が軽減され、プラスチックによる環境汚染・環境破壊を緩和することが可能で、環境保全に寄与せしめることができる。
【００２８】
本実施形態の包装用容器３によれば、第二側周壁（スカート部）１１を有していることから強度が向上し、容器全体の保形性も向上する。
また、包装用容器３の一部を切り欠くようにして窓部１３を形成しているが、窓部１３が、横方向フランジ部１３ａと左右の縦方向フランジ部１３ｂ，１３ｂにて構成されていることから、窓部形成領域における強度面の向上が図れるとともに保形性も向上する。
【００２９】
本実施形態では、上述したように上端周面９の幅Ｗ１＜横方向フランジ部１３ａの左右端部１３ａ´の幅Ｗ２、との関係を有するように形成しているが、Ｗ２の幅をＷ１の幅に近づける、すなわち、第二側周壁１１の面部１１ｂを垂直に近づけることにより、オーバーパッケージを防ぐことができる。また、オーバーパッケージを防止することにより、商品を陳列する商品陳列棚（什器）を縮小化することも可能となり、設備コストの軽減化も図り得る。
また、Ｗ２の幅をＷ１の幅よりも広げていけば容器全体のクッション性が向上する。
【００３０】
本実施形態では、底部５、第一側周壁７及び第二側周壁１１に複数個のリブ１５を設けて凹凸状に面部を形成しているため包装用容器３全体の強度が向上する。
【００３１】
本実施形態では、収容領域Ａ１における底部５の後端から、窓部１３が形成されている側面（前面）と相対向する反対の側面（後面）に向けて、昇り傾斜状にリブ１７を突設している（図４乃至図７、図９及び図１０参照。）。
リブ１７は、底部５と一体に連続する基部１７ａよりも側面（後面）と一体に連続する上端部１７ｂの方が狭く形成された台形状に突設されている（図１０参照。）。本実施形態では、上端部１７ｂの端部から基部１７ａに向けて１０度の角度をもって台形状に形成されている。
このように側面（後面）に向けて昇り傾斜状にリブ１７を設けていることから、収容領域Ａ１内に並べて収容される個装商品Ｓを斜めに状態に収容することができるため消費者の視認性も向上する（図３及び図４参照。）。
なお、このリブ１７がない形態も本発明の範囲内である。
【００３２】
また、収容領域Ａ１内にリブ１７が設けられているタイプの場合であって、窓部１３をリブ１７のある側面（後面）に設ける場合、窓部１３はリブ１７の上端位置までとすることも可能である。
また、リブ１７の上端一部を切り欠いて窓部１３を設けることも可能である。
【００３３】
「第二実施形態」
図１２及び図１３は本発明包装用容器３の第二実施形態で、本実施形態では、横方向フランジ部１３ａの一部を切り欠いて指挿入領域１９を形成してなる実施の一形態を示す。その他の構成及び作用効果は第一実施形態と同じであるためここでの詳細な説明は省略する。
【００３４】
指挿入領域１９は、左右に横方向フランジ部１３ａの一部（残存フランジ部）１３ａ１，１３ａ１をそれぞれ残した状態で切り欠かれている。
指挿入領域１９は、左右に横方向フランジ部１３ａの一部１３ａ１，１３ａ１をそれぞれ残した状態で切り欠かれているため、第一実施形態と比しても強度や保形性の面で問題はない。
【００３５】
本実施形態によれば、収容領域Ａ１内の個装商品Ｓを、窓部１３側から摘んで取り出す際に、指挿入領域１９があることによって、収容領域Ａ１内に収容されている個装商品Ｓを摘んで取り出しやすい。
【００３６】
さらに本実施形態によれば、窓部１３とともに指挿入領域１９をも設けたことにより、さらに包装用容器全体における材料が少なくて済み、かつ材料費も削減されるなど、生産者ニーズにも対応し得る。
また、さらに包装容器全体としてのプラスチック量が軽減されるため、全体のごみ量が軽減され、プラスチックによる環境汚染・環境破壊を緩和することが可能で、環境保全に寄与せしめることができる。
【００３７】
「第三実施形態」
図１４乃至図１７は本発明包装用容器３の第三実施形態で、本実施形態では、窓部１３の横方向フランジ部１３ａが、底部５と略面一となるように深く切り欠き形成してなる実施の一形態を示す。その他の構成及び作用効果は第一実施形態と同じであるためここでの詳細な説明は省略する。
【００３８】
本実施形態のように窓部１３を深く切り欠き形成することにより、包装用容器３内に収容されている個装商品Ｓの視認性がさらに向上する。したがって、特に子供目線における商品選択が容易であるため、商品売り上げ増加にも寄与し得る。また、本実施形態の窓部１３によれば、個装商品Ｓの取り出し易さも向上する。
【００３９】
なお、本実施形態において第二実施形態と同様に、左右に横方向フランジ部１３ａの一部（残存フランジ部）１３ａ１，１３ａ１をそれぞれ残した状態で、指挿入領域１９を切り欠き形成することも可能である。このように形成した場合の作用効果は第二実施形態と同様であるため詳細な説明は省略する。
【００４０】
さらに本実施形態によれば、第一実施形態よりも深く窓部１３を切り欠き形成するものであるため、さらに包装用容器全体における材料が少なくて済み、かつ材料費も削減されるなど、生産者ニーズにも対応し得る。
また、さらに包装容器全体としてのプラスチック量も大きく軽減されるため、全体のごみ量がさらに軽減され、プラスチックによる環境汚染・環境破壊を緩和することが可能で、環境保全に寄与せしめることができる。
【００４１】
上述した第一実施形態乃至第三実施形態において、窓部１３を前後双方に設けることも可能で本発明の範囲内である。このように窓部１３を前後に設けた場合、外袋１に収納するときや、外袋１から取り出して包装用容器３ごと個装商品Ｓを商品陳列棚などに陳列するときなどにあっても、前後の判断が不要となり、作業性に優れている。
【産業上の利用可能性】
【００４２】
本発明は、菓子に限らず、レトルト食品などの種々の個装商品（個装食品）の包装用容器にも利用可能で、食品以外の個装商品の包装用容器としても利用可能である。
【符号の説明】
【００４３】
１  外袋
３  包装用容器
５  底部
７  第一側周壁
７ｃ  横方向凹設端縁
７ｄ  縦方向凹設端縁
９  上端周面
１１  第二側周壁
１１ｃ  横方向凹設端縁
１１ｄ  縦方向凹設端縁
１３  窓部
１３ａ  横方向フランジ部
１３ａ´，１３ａ´  左右端部
１３ｂ  縦方向フランジ部
１９  指挿入領域
Ａ１  収容領域
Ｓ  個装商品
Ｗ１  上端周面の幅
Ｗ２  横方向フランジ部の左右端部の幅
【図１】
2020066456.tif 000003
【図２】
2020066456.tif 000004
【図３】
2020066456.tif 000005
【図４】
2020066456.tif 000006
【図５】
2020066456.tif 000007
【図６】
2020066456.tif 000008
【図７】
2020066456.tif 000009
【図８】
2020066456.tif 000010
【図９】
2020066456.tif 000011
【図１０】
2020066456.tif 000012
【図１１】
2020066456.tif 000013
【図１２】
2020066456.tif 000014
【図１３】
2020066456.tif 000015
【図１４】
2020066456.tif 000016
【図１５】
2020066456.tif 000017
【図１６】
2020066456.tif 000018
【図１７】
2020066456.tif 000019